(57)【要約】【課題】ステータコアの真円度を向上させることができるブラシレスモータ及びブラシレスモータの製造方法を得る。【解決手段】ブラシレスモータ６０は、ステータ本体１１と、ステータ本体１１を覆う筒状に形成されたステータケース７０と、を含んで構成されたステータ１０を備えている。また、ステータ本体１１とステータケース７０とは、ステータケース７０の外周部に複数の塑性変形部７２が形成されることにより一体化されている。この塑性変形部７２は、インシュレータ１８Ｕ，１８Ｖ，１８Ｗの連結部３４Ｕ，３４Ｖ，３４Ｗの剛性に対応する加工力Ｆ３，Ｆ４，Ｆ５が加えられることによって形成され、これにより、ステータ本体１１の真円度が調整される。【選択図】図１０Ａ
2014161200.tif 000002
【特許請求の範囲】
【請求項１】
環状の継鉄を構成すると共に前記継鉄の周方向に分割された複数の継鉄構成部と、それぞれ前記継鉄構成部から前記継鉄の径方向内側に向けて突出された複数のティース部とを一体に有する複数のコア構成部と、それぞれ前記ティース部に巻回された巻回部を複数有し、複数の相を構成する複数の巻線と、を有するステータ本体と、
前記ステータ本体を該ステータ本体の径方向外側から覆う筒状に形成されていると共に、外周部における前記複数の継鉄構成部と対向する部位にそれぞれ前記ステータ本体の所定の部位の剛性及び前記複数の継鉄構成部と対向する部位の剛性の少なくともいずれかの剛性に対応する加工力が加えられることによって塑性変形部が形成されて前記ステータ本体と一体化され、かつ前記ステータ本体と一体化されることによって前記ステータ本体の真円度を調整するケースと、
を備えたブラシレスモータ。
【請求項２】
前記ステータ本体は、前記各コア構成部に一体化され前記ティース部と前記巻回部とを絶縁する絶縁部を複数有すると共に、環状に形成されかつ前記複数の絶縁部を連結する連結部を有する複数のインシュレータを備えており、
前記複数のインシュレータの剛性に対応する加工力が前記ケースに加えられている請求項１記載のブラシレスモータ。
【請求項３】
前記複数のインシュレータの各々の連結部の剛性が同一とされている請求項２記載のブラシレスモータ。
【請求項４】
環状の継鉄を構成すると共に前記継鉄の周方向に分割された複数の継鉄構成部と、それぞれ前記継鉄構成部から前記継鉄の径方向内側に向けて突出された複数のティース部とを一体に有する複数のコア構成部と、それぞれ前記ティース部に巻回された巻回部を複数有し、複数の相を構成する複数の巻線と、を有するステータ本体の外径を超える内径の円筒状に形成されたケースを、前記ステータ本体の径方向外側に配置するケース配置工程と、
前記ケースの外周部における前記複数の継鉄構成部と対向する部位にそれぞれ前記ステータ本体の所定の部位の剛性及び前記ケースの外周部における前記複数の継鉄構成部と対向する部位の剛性の少なくともいずれかの剛性に対応する加工力を加えることによって塑性変形部を前記ケースの外周部に形成して前記ケースと前記ステータ本体とを一体化させ、前記ケースと前記ステータ本体とを一体化させることによって前記ステータ本体の真円度を調整するかしめ工程と、
を有するブラシレスモータの製造方法。
【請求項５】
前記各コア構成部に一体化され前記ティース部と前記巻回部とを絶縁する絶縁部を複数有すると共に、環状に形成されかつ前記複数の絶縁部を連結する連結部を有する複数のインシュレータを備えた前記ステータ本体を用い、
前記かしめ工程において、前記複数のインシュレータの連結部の剛性に対応する加工力を前記ケースに加える請求項４記載のブラシレスモータの製造方法。
【請求項６】
前記複数のインシュレータの各々の連結部がその径方向に隣り合って配置された前記ステータ本体を用い、
前記かしめ工程において、インナ側に配置された連結部に接続された前記コア構成部の前記継鉄構成部と対向する部位に加えられる加工力に比して弱い加工力をアウタ側に配置された連結部に接続された前記コア構成部の前記継鉄構成部と対向する部位に加える請求項５記載のブラシレスモータの製造方法。
【請求項７】
前記複数のインシュレータの各々の連結部の剛性が同一とされている前記ステータ本体を用いて前記かしめ工程を行う請求項５記載のブラシレスモータの製造方法。
【請求項８】
環状の継鉄を構成すると共に前記継鉄の周方向に分割された複数の継鉄構成部と、それぞれ前記継鉄構成部から前記継鉄の径方向内側に向けて突出された複数のティース部とを一体に有する複数のコア構成部と、それぞれ前記ティース部に巻回された巻回部を複数有し、複数の相を構成する複数の巻線と、を有するステータ本体の外径を超える内径の円筒状に形成されたケースを、前記ステータ本体の径方向外側に配置するケース配置工程と、
前記各コア構成部との接触圧力を検出するセンサを備えた芯金を前記ステータ本体の径方向内側に挿通する芯金セット工程と、
前記ケースの外周部における前記複数の継鉄構成部と対向する部位にそれぞれ前記センサの出力値に対応する加工力を加えることによって塑性変形部を前記ケースの外周部に形成して前記ケースと前記ステータ本体とを一体化させ、前記ケースと前記ステータ本体とを一体化させることによって前記ステータ本体の真円度を調整するかしめ工程と、
を有するブラシレスモータの製造方法。
【請求項９】
環状の継鉄を構成すると共に前記継鉄の周方向に分割された複数の継鉄構成部と、それぞれ前記継鉄構成部から前記継鉄の径方向内側に向けて突出された複数のティース部とを一体に有する複数のコア構成部と、それぞれ前記ティース部に巻回された巻回部を複数有し、複数の相を構成する複数の巻線と、を有するステータ本体の外径を超える内径の円筒状に形成されたケースを、前記ステータ本体の径方向外側に配置するケース配置工程と、
前記ケースの外周部における前記複数の継鉄構成部と対向する部位にそれぞれ前記前記複数のコア構成部の配列に対応する加工力を加えることによって塑性変形部を前記ケースの外周部に形成して前記ケースと前記ステータ本体とを一体化させ、前記ケースと前記ステータ本体とを一体化させることによって前記ステータ本体の真円度を調整するかしめ工程と、
を有するブラシレスモータの製造方法。
【発明の詳細な説明】
【技術分野】
【０００１】
本発明は、ブラシレスモータ及びブラシレスモータの製造方法に関する。
【背景技術】
【０００２】
下記特許文献１には、周方向に複数のコア（分割コア）を配列させることによって構成されたステータコアを備えたブラシレスモータが開示されている。この文献に記載された技術について簡単に説明すると、分割コアには導電性の巻線が巻回されるティース部が設けられており、またティース部と巻線部（巻線におけるティース部に巻回された部位）との間には絶縁部が設けられている。さらに、絶縁部は、環状に形成された３つの連結部を介して連結されている。これにより、分割コアが連結部を介して３つのグループとなるように構成されている。そして、この３つのグループが一体化されることによってブラシレスモータのステータが構成されている。また、下記特許文献２には、ステータコアとケース（ヨーク）とを一体化させることによって構成されたステータが開示されている。当該ステータでは、ステータコアを有底円筒状に形成されたケース（ヨーク）内に配置して、ケースの外周部を当該ケースの径方向内側に向けて塑性変形させることによって、ステータコアとケースとを一体化させている。
【先行技術文献】
【特許文献】
【０００３】
【特許文献１】特開２０１２−１１０２１２号公報
【特許文献２】特開２０１１−１４２８１１号公報
【発明の概要】
【発明が解決しようとする課題】
【０００４】
しかしながら、上記特許文献１に記載された構成では、各々の連結部の剛性が異なるため、分割コアの３つのグループが一体化された際に環状に配列された分割コアの真円度（ステータコアの真円度）が低下することが考えられる。また、上記特許文献２に記載された構成では、ケースを塑性変形させるための加工力にバラつきが生じると、当該ケース内に配置されたステータコアの真円度が低下することが考えられる。
【０００５】
本発明は上記事実を考慮し、ステータコアの真円度を向上させることができるブラシレスモータ及びブラシレスモータの製造方法を得ることが目的である。
【課題を解決するための手段】
【０００６】
請求項１記載の本発明に係るブラシレスモータは、環状の継鉄を構成すると共に前記継鉄の周方向に分割された複数の継鉄構成部と、それぞれ前記継鉄構成部から前記継鉄の径方向内側に向けて突出された複数のティース部とを一体に有する複数のコア構成部と、それぞれ前記ティース部に巻回された巻回部を複数有し、複数の相を構成する複数の巻線と、を有するステータ本体と、前記ステータ本体を該ステータ本体の径方向外側から覆う筒状に形成されていると共に、外周部における前記複数の継鉄構成部と対向する部位にそれぞれ前記ステータ本体の所定の部位の剛性及び前記複数の継鉄構成部と対向する部位の剛性の少なくともいずれかの剛性に対応する加工力が加えられることによって塑性変形部が形成されて前記ステータ本体と一体化され、かつ前記ステータ本体と一体化されることによって前記ステータ本体の真円度を調整するケースと、を備えている。
【０００７】
請求項１記載の本発明では、ブラシレスモータのステータが、例えば、次の要領で製造される。先ず、各コア構成部を環状に配列することによってステータコアを形成すると共に巻線を各々の各ティース部に巻回することによりステータ本体を形成する。そして、ステータ本体の径方向外側に円筒状に形成されたケースを配置して、このケースの外周部に塑性変形部を形成することによってステータ本体とケースとを一体化する。以上の要領により、ブラシレスモータのステータが製造される。ここで、本発明では、ケースの外周部における複数の継鉄構成部と対向する部位にそれぞれ上記の加工力が加えられている。これにより、ケースにおける塑性変形部が形成された部位が継鉄構成部を押圧する押圧力が調整される。すなわち、本発明では、前記押圧力が調整されることによってステータ本体の真円度が調整され、これにより、ステータコアの真円度を向上させることができる。
【０００８】
請求項２記載の本発明に係るブラシレスモータは、請求項１記載のブラシレスモータにおいて、前記ステータ本体は、前記各コア構成部に一体化され前記ティース部と前記巻回部とを絶縁する絶縁部を複数有すると共に、環状に形成されかつ前記複数の絶縁部を連結する連結部を有する複数のインシュレータを備えており、前記複数のインシュレータの剛性に対応する加工力が前記ケースに加えられている
【０００９】
請求項２記載の本発明では、ブラシレスモータのステータが、例えば、次の要領で製造される。先ず、各インシュレータの絶縁部にコア構成部を一体化して、複数のサブアッセンブリを形成する。続いて、この各サブアッセンブリの各ティース部に巻線を巻回して、複数のステータ構成部を形成する。この状態において、ステータ構成部は連結部によって連結されている。そして、この複数のステータ構成部を互いに組み付けてステータ本体を形成する。そして、ステータ本体の径方向外側に円筒状に形成されたケースを配置して、このケースの外周部に塑性変形部を形成することによってステータ本体とケースとを一体化する。以上の要領により、ブラシレスモータのステータが製造される。ここで、本発明では、ケースの外周部における複数の継鉄構成部と対向する部位にそれぞれ複数のインシュレータの連結部の剛性に対応する加工力が加えられている。これにより、ケースにおける塑性変形部が形成された部位が継鉄構成部を押圧する押圧力が調整される。すなわち、本発明では、前記押圧力が調整されることによってステータ本体の真円度が調整され、これにより、ステータコアの真円度を向上させることができる。
【００１０】
請求項３記載の本発明に係るブラシレスモータは、請求項２記載のブラシレスモータにおいて、前記複数のインシュレータの各々の連結部の剛性が同一とされている。
【００１１】
請求項３記載の本発明では、複数のインシュレータの各々の連結部の剛性が同一とされているため、一の塑性変形部を形成する際にケースに入力される加工力と、他の一の塑性変形部を形成する際にケースに入力される加工力とを同一にすることができる。これにより、本発明では、ステータ本体とケースとを一体化させる際の加工制御を容易にすることができる。
【００１２】
なお、各々の連結部の剛性が同一とされているとは、各々の連結部の剛性が完全に同一とされているものに限定されるものではない。各々の連結部の剛性は、上記の作用効果が得られる範囲内において多少異なっていても良い。
【００１３】
請求項４記載の本発明に係るブラシレスモータの製造方法は、環状の継鉄を構成すると共に前記継鉄の周方向に分割された複数の継鉄構成部と、それぞれ前記継鉄構成部から前記継鉄の径方向内側に向けて突出された複数のティース部とを一体に有する複数のコア構成部と、それぞれ前記ティース部に巻回された巻回部を複数有し、複数の相を構成する複数の巻線と、を有するステータ本体の外径を超える内径の円筒状に形成されたケースを、前記ステータ本体の径方向外側に配置するケース配置工程と、前記ケースの外周部における前記複数の継鉄構成部と対向する部位にそれぞれ前記ステータ本体の所定の部位の剛性及び前記ケースの外周部における前記複数の継鉄構成部と対向する部位の剛性の少なくともいずれかの剛性に対応する加工力を加えることによって塑性変形部を前記ケースの外周部に形成して前記ケースと前記ステータ本体とを一体化させ、前記ケースと前記ステータ本体とを一体化させることによって前記ステータ本体の真円度を調整するかしめ工程と、を有している。
【００１４】
請求項４記載の本発明では、上記のケース配置工程及びかしめ工程を経てブラシレスモータのステータが製造される。ここで、本発明では、かしめ工程において、ケースの外周部における複数の継鉄構成部と対向する部位にそれぞれ上記の加工力が加えられている。これにより、ケースにおける塑性変形部が形成された部位が継鉄構成部を押圧する押圧力が調整される。すなわち、本発明では、前記押圧力が調整されることによってステータ本体の真円度が調整され、これにより、ステータコアの真円度を向上させることができる。
【００１５】
請求項５記載の本発明に係るブラシレスモータの製造方法は、請求項４記載のブラシレスモータの製造方法において、前記各コア構成部に一体化され前記ティース部と前記巻回部とを絶縁する絶縁部を複数有すると共に、環状に形成されかつ前記複数の絶縁部を連結する連結部を有する複数のインシュレータを備えた前記ステータ本体を用い、前記かしめ工程において、前記複数のインシュレータの連結部の剛性に対応する加工力を前記ケースに加える。
【００１６】
請求項５記載の本発明では、各々の連結部の剛性に差異があったとしても、ステータコアの真円度を向上させることができる。
【００１７】
請求項６記載の本発明に係るブラシレスモータの製造方法は、請求項５記載のブラシレスモータの製造方法において、前記複数のインシュレータの各々の連結部がその径方向に隣り合って配置された前記ステータ本体を用い、前記かしめ工程において、インナ側に配置された連結部に接続された前記コア構成部の前記継鉄構成部と対向する部位に加えられる加工力に比して弱い加工力をアウタ側に配置された連結部に接続された前記コア構成部の前記継鉄構成部と対向する部位に加える。
【００１８】
請求項６記載の本発明では、ケースにおける塑性変形部が形成された部位が各々のコア構成部を押圧した際に各連結部が変形することによる反力を考慮して、上記の加工力の強弱が調整されている。これにより、ケースとステータコアとが一体化された際に、コア構成部の配列が乱れることが抑制され、ひいてはステータコアの真円度を向上させることができる。
【００１９】
請求項７記載の本発明に係るブラシレスモータの製造方法は、請求項５記載のブラシレスモータの製造方法において、前記複数のインシュレータの各々の連結部の剛性が同一とされている前記ステータ本体を用いて前記かしめ工程を行う。
【００２０】
請求項７記載の本発明では、かしめ工程において、複数のインシュレータの各々の連結部の剛性が同一とされているステータ本体とケースとが一体化される。そのため、一の塑性変形部を形成する際にケースに入力される加工力と、他の一の塑性変形部を形成する際にケースに入力される加工力とを同一にすることができる。これにより、本発明では、かしめ工程の加工制御を容易にすることができる。
【００２１】
請求項８記載の本発明に係るブラシレスモータの製造方法は、環状の継鉄を構成すると共に前記継鉄の周方向に分割された複数の継鉄構成部と、それぞれ前記継鉄構成部から前記継鉄の径方向内側に向けて突出された複数のティース部とを一体に有する複数のコア構成部と、それぞれ前記ティース部に巻回された巻回部を複数有し、複数の相を構成する複数の巻線と、を有するステータ本体の外径を超える内径の円筒状に形成されたケースを、前記ステータ本体の径方向外側に配置するケース配置工程と、前記各コア構成部との接触圧力を検出するセンサを備えた芯金を前記ステータ本体の径方向内側に挿通する芯金セット工程と、前記ケースの外周部における前記複数の継鉄構成部と対向する部位にそれぞれ前記センサの出力値に対応する加工力を加えることによって塑性変形部を前記ケースの外周部に形成して前記ケースと前記ステータ本体とを一体化させ、前記ケースと前記ステータ本体とを一体化させることによって前記ステータ本体の真円度を調整するかしめ工程と、を有している。
【００２２】
請求項８記載の本発明では、上記のケース配置工程、芯金セット工程及びかしめ工程を経てブラシレスモータのステータが製造される。ここで、本発明では、コア構成部が芯金に当接すると、芯金に設けられたセンサが各コア構成部との接触圧力を出力する。この出力値に基づいてケースの外周部への加工力を調整することによってステータ本体の真円度が調整され、これにより、ステータコアの真円度を向上させることができる。
【００２３】
請求項９記載の本発明に係るブラシレスモータの製造方法は、環状の継鉄を構成すると共に前記継鉄の周方向に分割された複数の継鉄構成部と、それぞれ前記継鉄構成部から前記継鉄の径方向内側に向けて突出された複数のティース部とを一体に有する複数のコア構成部と、それぞれ前記ティース部に巻回された巻回部を複数有し、複数の相を構成する複数の巻線と、を有するステータ本体の外径を超える内径の円筒状に形成されたケースを、前記ステータ本体の径方向外側に配置するケース配置工程と、前記ケースの外周部における前記複数の継鉄構成部と対向する部位にそれぞれ前記前記複数のコア構成部の配列に対応する加工力を加えることによって塑性変形部を前記ケースの外周部に形成して前記ケースと前記ステータ本体とを一体化させ、前記ケースと前記ステータ本体とを一体化させることによって前記ステータ本体の真円度を調整するかしめ工程と、を有している。
【００２４】
請求項９記載の本発明では、上記のケース配置工程及びかしめ工程を経てブラシレスモータのステータが製造される。ここで、本発明では、コア構成部の配列に対応する加工力がケースの外周部に加えられる。この加工力を調整することによってステータ本体の真円度が調整され、これにより、ステータコアの真円度を向上させることができる。
【図面の簡単な説明】
【００２５】
【図１Ａ】本実施形態に係るブラシレスモータを示す平面図である。
【図１Ｂ】本実施形態に係るステータを示す斜視図である。
【図２Ａ】Ｕ相のステータ構成部の斜視図である。
【図２Ｂ】Ｖ相のステータ構成部の斜視図である。
【図２Ｃ】Ｗ相のステータ構成部の斜視図である。
【図２Ｄ】環状に配列されたコア構成部を拡大して示す拡大平面図である。
【図３Ａ】図２Ａ〜図２Ｃに示された複数のステータ構成部が互いに組み付けられる過程を示す斜視図である。
【図３Ｂ】図３Ａよりも組み付けが進行した状態を示す斜視図である。
【図４Ａ】本実施形態に係るインシュレータの連結部を示す拡大断面図である。
【図４Ｂ】第１変形例に係るインシュレータの連結部を示す拡大平面図及び拡大断面図である。
【図４Ｃ】第２変形例に係るインシュレータの連結部を示す拡大断面図である。
【図４Ｄ】第３変形例に係るインシュレータの連結部を示す拡大斜視図である。
【図４Ｅ】第４変形例に係るインシュレータの連結部を示す拡大断面図である。
【図５】芯金がステータコアの径方向内側に挿通された状態を示す縦断面図である。
【図６Ａ】芯金の可変コア保持部が拡径することによって該可変コア保持部の外周面が内側環状部の円弧面に当接した状態を示す縦断面図である。
【図６Ｂ】芯金の可変コア保持部が拡径することによって該可変コア保持部の外周面が内側環状部の円弧面に当接した状態を示す平面図である。
【図７】芯金が挿通されたステータコア及びステータケースがかしめ冶具にセットされた状態を示す縦断面図である。
【図８】図７に示された芯金、ステータコア、ステータケース及びかしめ冶具をステータコアの軸方向一方側から見た斜視断面図である。
【図９】プレスによる加工力がかしめ冶具に作用した際の芯金、ステータコア、ステータケース及びかしめ冶具を示す縦断面図である。
【図１０Ａ】プレスによる加工力がかしめ冶具に作用した際のステータコア及びステータケースを示す平面図である。
【図１０Ｂ】図１０Ａの一点鎖線で囲まれた部分を拡大して示す拡大平面図である。
【図１１】芯金が取り外される際の芯金、ステータコア及びステータケースを示す縦断面図である。
【図１２Ａ】変形例に係るステータにおける塑性変形部が形成された部位を拡大して示す図１０Ｂに相当する拡大平面図である。
【図１２Ｂ】他の変形例に係るステータにおける塑性変形部が形成された部位を拡大して示す図１０Ｂに相当する拡大平面図である。
【図１３】プレスによる加工力がかしめ冶具に作用した際のステータコア及びひずみを有するステータケースを示す図１０Ａに対応する平面図である。
【図１４】プレスによる加工力がかしめ冶具に作用した際のステータコア及び板厚のバラつきを有するステータケースを示す図１０Ａに対応する拡大平面図である。
【図１５】プレスによる加工力がかしめ冶具に作用した際のステータコア、ステータケース及び芯金を示す図１０Ａに対応する平面図である。
【図１６】周方向への位置にバラつきを有する複数のコア構成部を拡大して示す拡大平面図である。
【発明を実施するための形態】
【００２６】
以下、図面に基づき、本発明の一実施形態について説明する。
【００２７】
図１Ａに示されるように、本実施形態に係るブラシレスモータ６０は、インナロータタイプのブラシレスモータであり、回転磁界を発生させるステータ１０と、ステータ１０の回転磁界によって回転するロータ５０と、を有して構成されている。また、図１Ｂに示されるように、ステータ１０は、ケースとしてのステータケース７０と、Ｕ相のステータ構成部１２Ｕ、Ｖ相のステータ構成部１２Ｖ、及びＷ相のステータ構成部１２Ｗを有するステータ本体１１と、含んで構成されている。以下先ず、ステータケース７０について説明し、次いでステータ構成部１２Ｕ，１２Ｖ，１２Ｗ及びロータ５０について説明し、最後にステータ１０及びブラシレスモータ６０の製造方法について説明する。
【００２８】
（ステータケース７０）
図１Ａ及び図１Ｂに示されるように、ステータケース７０は、薄肉の円筒状に形成されていると共に、軟磁性金属（一例として「鋼」「アルミ合金」「鋼合金」等）を用いてその周方向に沿って一体に形成されている。また、後述する塑性変形部７２が形成される前のステータケース７０の内径Ｄ１は、ステータコア２０（環状に配列されたコア構成部１４Ｕ，１４Ｖ，１４Ｗ）の外径Ｄ２を超える内径とされている。
【００２９】
また、ステータケース７０の外周面には、該ステータケース７０の周方向に沿って等間隔に配置された複数の塑性変形部７２（本実施形態では１２箇所の塑性変形部７２）が形成されている。この塑性変形部７２がステータケース７０に形成されることによって、ステータケース７０における塑性変形部７２が形成された部位の内径が減少し、ステータケース７０における塑性変形部７２が形成された部位とステータコア２０とが当接する。これにより、ステータケース７０とステータコア２０とが一体化される、即ち、ステータケース７０とステータ本体１１とが一体化される構成である。
【００３０】
また、塑性変形部７２は、後に詳述する継鉄構成部２２Ｕ，２２Ｖ，２２Ｗに形成された各々の凸部７８Ｕ，７８Ｖ，７８Ｗと対向する部位に形成されている。
【００３１】
（ステータ構成部１２Ｕ，１２Ｖ，１２Ｗ）
図２Ａに示されるように、Ｕ相のステータ構成部１２Ｕは、複数のコア構成部１４Ｕと、巻線１６Ｕと、インシュレータ１８Ｕを有して構成されている。複数のコア構成部１４Ｕは、後述するＶ相の複数のコア構成部１４Ｖと、Ｗ相の複数のコア構成部１４Ｗとでステータコア２０（いずれも図１Ａ参照）を構成するものであり、それぞれ複数の継鉄構成部２２Ｕと、複数のティース部２４Ｕと、複数の芯金当接部２５Ｕと、を有している。
【００３２】
図２Ａ及び図２Ｄに示されるように、複数の継鉄構成部２２Ｕは、後述するＶ相の複数の継鉄構成部２２Ｖと、Ｗ相の複数の継鉄構成部２２Ｗとで継鉄４０を構成するものであり、それぞれ円弧状に形成されている。複数のティース部２４Ｕは、それぞれ継鉄構成部２２Ｕに一体に形成されており、この継鉄構成部２２Ｕから継鉄４０の径方向内側に向けて突出されている。
【００３３】
また、継鉄構成部２２Ｕにおけるティース部２４Ｕと対向する部位には、継鉄構成部２２Ｕの径方向外側に向けて突出すると共に該継鉄構成部２２Ｕの軸方向に延びる凸部７８Ｕが形成されている。また、凸部７８Ｕの中間部（継鉄構成部２２Ｕの周方向の中間部）には、継鉄構成部２２Ｕの径方向外側に向けて開放され、かつ継鉄構成部２２Ｕの軸方向に沿って延びるＵ字溝状の凹部８０Ｕが形成されている。
【００３４】
また、ティース部２４Ｕにおけるロータ５０（図１Ａ参照）と近接する側の端部には、該ロータ５０の周方向に沿って（環状に配列されたマグネット５４Ｓ，５４Ｎに沿って）延出する芯金当接部２５Ｕが設けられている。この芯金当接部２５Ｕは、後述するＶ相の芯金当接部２５Ｖと、Ｗ相の芯金当接部２５Ｗとで内側環状部４１を構成するものであり、それぞれの芯金当接部２５Ｕ，２５Ｖ，２５Ｗのロータ５０側の面は、該ロータ５０を軸中心とする円弧面Ｒとされている。
【００３５】
図２Ａに示されるように、巻線１６Ｕは、Ｕ相を構成しており、複数の巻回部２６Ｕと、複数の渡り線２８Ｕとを有している。複数の巻回部２６Ｕは、それぞれ後述する絶縁部３２Ｕを介してティース部２４Ｕに集中的に巻回されており、複数の渡り線２８Ｕによって互いに接続されている。渡り線２８Ｕは、後述するインシュレータ１８Ｕに形成された連結部３４Ｕの外周面に沿って配線されている（巻き付けられている）。また、巻線１６Ｕの両端側の端末部３０Ｕは、ティース部２４Ｕからステータ１０の軸方向一方側（矢印Ｚ１側）に導出されている。
【００３６】
インシュレータ１８Ｕは、樹脂製とされており、複数の絶縁部３２Ｕと、連結部３４Ｕとを一体に有している。複数の絶縁部３２Ｕは、上述の複数のティース部２４Ｕと同数設けられている。この複数の絶縁部３２Ｕは、絶縁本体部３２Ｕ１と延出部３２Ｕ２を有している。絶縁本体部３２Ｕ１は、上述の複数のコア構成部１４Ｕの表面にそれぞれ一体成形や装着嵌合される等により一体化されており、コア構成部１４Ｕに形成されたティース部２４Ｕと巻回部２６Ｕとを絶縁している。延出部３２Ｕ２は、コア構成部１４Ｕよりも径方向内側に位置されると共に、絶縁本体部３２Ｕ１から継鉄４０の軸方向一方側（Ｚ１側）に沿って延出されている。
【００３７】
連結部３４Ｕは、複数の絶縁部３２Ｕの軸方向一方側（Ｚ１側）に設けられている。この連結部３４Ｕは、リング状（環状に）形成されており、複数の絶縁部３２Ｕ（より具体的には、複数の絶縁部３２Ｕにおける延出部３２Ｕ２の延出端部（Ｚ１側の端部））を連結しており、コア構成部１４Ｕよりも径方向内側に位置されている。この連結部３４Ｕの外周面における複数の絶縁部３２Ｕの間には、突起状の保持部３６Ｕが径方向外側に向けて複数突出されている。この保持部３６Ｕは、上述の渡り線２８Ｕを連結部３４Ｕの軸方向他方側（矢印Ｚ２側）から保持している。また、連結部３４Ｕにおける複数の絶縁部３２Ｕの間には、軸方向他方側（矢印Ｚ２側）に開口する切欠き３８Ｕが複数形成されている。
【００３８】
図２Ｂに示されるＶ相のステータ構成部１２Ｖは、上述のＵ相のステータ構成部１２Ｕと基本的な構成は同一とされている。つまり、このＶ相のステータ構成部１２Ｖは、複数の継鉄構成部２２Ｖと、複数のティース部２４Ｖと、複数の芯金当接部２５Ｖと、巻線１６Ｖと、インシュレータ１８Ｖを有して構成されている。複数の継鉄構成部２２Ｖと、複数のティース部２４Ｖと、複数の芯金当接部２５Ｖと、巻線１６Ｖと、インシュレータ１８Ｖは、上述の複数の継鉄構成部２２Ｕと、複数のティース部２４Ｕと、複数の芯金当接部２５Ｕと、巻線１６Ｕと、インシュレータ１８Ｕ（いずれも図２Ａ参照）に相当するものである。また、凸部７８Ｖ及び凹部８０Ｖは、上述の凸部７８Ｕ及び凹部８０Ｕに相当するものである。なお、このＶ相のステータ構成部１２Ｖにおいて、連結部３４Ｖは、リング状に形成されると共に、上述のＵ相の連結部３４Ｕ（図２Ａ参照）よりも小径に形成されている。また、保持部３６Ｖは、渡り線２８Ｖを連結部３４Ｖの軸方向一方側（矢印Ｚ１側）から保持しており、且つ、コア構成部１４Ｖよりも径方向内側に位置されている。
【００３９】
図２Ｃに示されるＷ相のステータ構成部１２Ｗも、上述のＵ相のステータ構成部１２Ｕと基本的な構成は同一とされている。つまり、このＷ相のステータ構成部１２Ｗは、複数の継鉄構成部２２Ｗと、複数のティース部２４Ｗと、複数の芯金当接部２５Ｗと、巻線１６Ｗと、インシュレータ１８Ｗを有して構成されている。複数の継鉄構成部２２Ｗと、複数のティース部２４Ｗと、複数の芯金当接部２５Ｗと、巻線１６Ｗと、インシュレータ１８Ｗは、上述の複数の継鉄構成部２２Ｕと、複数のティース部２４Ｕと、複数の芯金当接部２５Ｕと、巻線１６Ｕと、インシュレータ１８Ｕ（いずれも図２Ａ参照）に相当するものである。また、凸部７８Ｗ及び凹部８０Ｗは、上述の凸部７８Ｕ及び凹部８０Ｕに相当するものである。なお、このＷ相のステータ構成部１２Ｗにおいて、連結部３４Ｗは、リング状に形成されると共に、上述のＶ相の連結部３４Ｖ（図２Ｂ参照）よりも小径に形成されている。また、連結部３４Ｗからは上述の切欠き（図２Ａの切欠き３８Ｕ参照）が省かれている。また、保持部３６Ｗは、渡り線２８Ｗを連結部３４Ｗの軸方向一方側（矢印Ｚ１側）から保持しており、且つ、コア構成部１４Ｗよりも径方向内側に位置されている。
【００４０】
そして、図１Ａに示されるように、この複数のステータ構成部１２Ｕ，１２Ｖ，１２Ｗは、後に詳述する如く、互いに組み付けられた後に、その外周部からステータケース７０に保持されることによってステータ１０を構成している。また、このステータ１０では、複数の継鉄構成部２２Ｕ，２２Ｖ，２２Ｗによって環状の継鉄４０が形成されている。
【００４１】
さらに、継鉄４０を構成する各々の継鉄構成部２２Ｕ，２２Ｖ，２２Ｗに形成された凸部７８Ｕ，７８Ｖ，７８Ｗは、該継鉄４０の軸方向から見てその周方向に沿って等間隔に配置されている。
【００４２】
また、図３Ａ、図３Ｂ及び図４Ａに示されるように、複数の連結部３４Ｕ，３４Ｖ，３４Ｗは、継鉄４０の径方向内側に径方向に間隙を有して配置されると共に、継鉄４０と同軸上に設けられている。また、Ｖ相の保持部３６Ｖは、Ｕ相の連結部３４Ｕの内周面と嵌合されており、Ｗ相の保持部３６Ｗは、Ｖ相の連結部３４Ｖの内周面と嵌合されている。そして、これにより、複数の連結部３４Ｕ，３４Ｖ，３４Ｗは、互いに径方向に離間した状態で保持されている。つまり、保持部３６Ｕ，３６Ｖ，３６Ｗは、複数の連結部３４Ｕ，３４Ｖ，３４Ｗの径方向間に設けられ、複数の連結部３４Ｕ，３４Ｖ，３４Ｗを互いに径方向に離間した状態で保持する突起状のスペーサの役割も果たしている。
【００４３】
また、Ｕ相の連結部３４Ｕにおける保持部３６Ｕ及び切欠き３８Ｕが形成されていない部位の断面、Ｖ相の連結部３４Ｖにおける保持部３６Ｖ及び切欠き３８Ｖが形成されていない部位の断面、及びＷ相の連結部３４Ｗにおける保持部３６Ｗ及び切欠き３８Ｗが形成されていない部位の断面の形状及び断面積は同一とされている。これにより、Ｕ相の連結部３４Ｕの剛性よりもＶ相の連結部３４Ｖの剛性の方が高く、またＶ相の連結部３４Ｖの剛性よりもＷ相の連結部の剛性の方が高くなっている。
【００４４】
さらに、上述のように、複数の連結部３４Ｕ，３４Ｖ，３４Ｗが継鉄４０の径方向に間隙を有して配置された状態では、Ｖ相の渡り線２８Ｖは、Ｕ相の連結部３４Ｕに形成された切欠き３８Ｕの内側を通過しており（切欠き３８Ｕに収容されており）、Ｗ相の渡り線２８Ｗは、Ｕ相の連結部３４Ｕに形成された切欠き３８Ｕと、Ｖ相の連結部３４Ｖに形成された切欠き３８Ｖの内側を通過している（切欠き３８Ｕと切欠き３８Ｖとに収容されている）。
【００４５】
（ロータ５０）
図１Ａに示されるようにロータ５０は、ステータ１０の径方向内側に配置されていると共に、軸線回りに回転可能に支持された回転軸部５２と、該回転軸部５２の周方向に沿って配設されたマグネット５４Ｓ，５４Ｎと、を含んで構成されている。具体的には、回転軸部５２は、棒状の鋼材に浸炭処理等の表面処理が施されることによって形成されており、また回転軸部５２は、図示しない軸受部材により回転可能に支持されている。さらに、回転軸部５２の回りには、その周方向に沿ってＳ極のマグネット５４ＳとＮ局のマグネット５４Ｎとが交互に配置されている。このマグネット５４Ｓ，５４Ｎは、支持部材５６を介して回転軸部５２に固定されている。
【００４６】
（ステータ１０及びブラシレスモータ６０の製造方法）
次に、上記構成からなるステータ１０及びブラシレスモータ６０の製造方法について説明する。
【００４７】
先ず、図２Ａに示されるように、インシュレータ１８Ｕの絶縁部３２Ｕにコア構成部１４Ｕを一体化して、インシュレータ１８Ｕ及び複数のコア構成部１４ＵからなるＵ相のサブアッセンブリ４２Ｕを形成する。同様に、図２Ｂに示されるように、インシュレータ１８Ｖの絶縁部３２Ｖにコア構成部１４Ｖを一体化して、インシュレータ１８Ｖ及び複数のコア構成部１４ＶからなるＶ相のサブアッセンブリ４２Ｖを形成する。また、図２Ｃに示されるように、インシュレータ１８Ｗの絶縁部３２Ｗにコア構成部１４Ｗを一体化して、インシュレータ１８Ｕ及び複数のコア構成部１４ＶからなるＷ相のサブアッセンブリ４２Ｗを形成する。そして、このようにして、Ｕ相、Ｖ相、Ｗ相毎にサブアッセンブリ４２Ｕ，４２Ｖ，４２Ｗを形成する（サブアッセンブリ形成工程）。
【００４８】
続いて、図２Ａに示されるように、Ｕ相のサブアッセンブリ４２Ｕの各ティース部２４Ｕに径方向外側から巻線１６Ｕをフライヤ装置（図示せず）を用いて巻回して、サブアッセンブリ４２Ｕに複数の巻回部２６Ｕが形成されたＵ相のステータ構成部１２Ｕを形成する。
【００４９】
同様に、図２Ｂに示されるように、Ｖ相のサブアッセンブリ４２Ｖの各ティース部２４Ｖに径方向外側から巻線１６Ｖを上述のフライヤ装置を用いて巻回して、サブアッセンブリ４２Ｖに複数の巻回部２６Ｖが形成されたＶ相のステータ構成部１２Ｖを形成する。また、図２Ｃに示されるように、Ｗ相のサブアッセンブリ４２Ｗの各ティース部２４Ｗに径方向外側から巻線１６Ｗを上述のフライヤ装置を用いて巻回して、サブアッセンブリ４２Ｗに複数の巻回部２６Ｗが形成されたＷ相のステータ構成部１２Ｗを形成する。
【００５０】
このとき、図２Ａに示されるように、複数の渡り線２８Ｕについては、連結部３４Ｕの外周面に沿って配線する。また、この複数の渡り線２８Ｕを突起状の保持部３６Ｕによって連結部３４Ｕの軸方向他方側（矢印Ｚ２側）から保持する。同様に、図２Ｂに示されるように、複数の渡り線２８Ｖについては、連結部３４Ｖの外周面に沿って配線する。また、この複数の渡り線２８Ｖを突起状の保持部３６Ｖによって連結部３４Ｖの軸方向一方側（矢印Ｚ１側）から保持する。また、図２Ｃに示されるように、複数の渡り線２８Ｗについては、連結部３４Ｗの外周面に沿って配線する。また、この複数の渡り線２８Ｗを突起状の保持部３６Ｗによって連結部３４Ｗの軸方向一方側（矢印Ｚ１側）から保持する。
【００５１】
また、図２Ａに示されるように、巻線１６Ｕの両端側の端末部３０Ｕについては、ティース部２４Ｕからステータ１０の軸方向一方側（矢印Ｚ１側）に導出させる。同様に、図２Ｂに示されるように、巻線１６Ｖの両端側の端末部３０Ｖについては、ティース部２４Ｖからステータ１０の軸方向一方側に導出させる。また、図２Ｃに示されるように、巻線１６Ｗの両端側の端末部３０Ｗについては、ティース部２４Ｗからステータ１０の軸方向一方側に導出させる。そして、このようにして、Ｕ相、Ｖ相、Ｗ相毎にステータ構成部１２Ｕ，１２Ｖ，１２Ｗを形成する（ステータ構成部形成工程）。
【００５２】
続いて、図３Ａ，図３Ｂに示されるように、Ｗ相のステータ構成部１２Ｗに対し、Ｖ相のステータ構成部１２Ｖを周方向に所定の角度ずらした状態で、Ｖ相のステータ構成部１２Ｖを軸方向一方側（矢印Ｚ１側）からＷ相のステータ構成部１２Ｗに組み付ける。また、Ｖ相のステータ構成部１２Ｖに対し、Ｕ相のステータ構成部１２Ｕを周方向に所定の角度ずらした状態で、Ｕ相のステータ構成部１２Ｕを軸方向一方側（矢印Ｚ１側）からＶ相のステータ構成部１２Ｖ及びＷ相のステータ構成部１２Ｗに組み付ける。
【００５３】
このとき、複数のコア構成部１４Ｕ，１４Ｖ，１４Ｗが環状に配列されると共に、図２Ｄに示されるように、複数の継鉄構成部２２Ｕ，２２Ｖ，２２Ｗの内周端はそれぞれ両側に隣り合う一対の継鉄構成部２２Ｕ，２２Ｖ，２２Ｗの内周端に当接する（コア配列工程）。
【００５４】
また、図３Ａ，図３Ｂに示されるように、Ｖ相の保持部３６Ｖについては、Ｕ相の連結部３４Ｕの内周面に嵌合し、Ｗ相の保持部３６Ｗについては、Ｖ相の連結部３４Ｖの内周面に嵌合する。そして、このようにして、複数の連結部３４Ｕ，３４Ｖ，３４Ｗを突起状の保持部３６Ｕ，３６Ｖ，３６Ｗによって互いに径方向に離間した状態で保持する。
【００５５】
さらに、このときには、Ｖ相の渡り線２８Ｖを、Ｕ相の連結部３４Ｕに形成された切欠き３８Ｕの内側に通過させ、Ｗ相の渡り線２８Ｗを、Ｕ相の連結部３４Ｕに形成された切欠き３８Ｕと、Ｖ相の連結部３４Ｖに形成された切欠き３８Ｖの内側に通過させる。
【００５６】
次に、ステータケース７０とステータコア２０（ステータ本体１１）とを一体化させる工程について説明する。
【００５７】
図５に示されるように、ステータケース７０をステータコア２０の径方向外側に配置させる即ち、ステータケース７０をステータコア２０の継鉄４０に沿って配置される（ケース配置工程）。なお、塑性変形部７２が形成される前のステータケース７０の内径Ｄ１（図１Ａ参照）は、ステータコア２０外径Ｄ２（図１Ａ参照）を超える内径とされているが、Ｄ１とＤ２との差は微小である。そのため、図５においては、ステータケース７０の内径Ｄ１とステータコア２０外径Ｄ２とが一致するように見えている。
【００５８】
次いで、芯金１００の可変コア保持部１０２をステータコア２０の内側環状部４１の内周側に挿通させ、図６Ａ及び図６Ｂに示されるように、可変コア保持部１０２を拡径させることによって、可変コア保持部１０２の外周面を芯金当接部２５Ｕ，２５Ｖ，２５Ｗの円弧面Ｒに当接させる。そして、可変コア保持部１０２を更に拡径させることによって継鉄４０の外周面（継鉄構成部２２Ｕ，２２Ｖ，２２Ｗに形成された凸部７８Ｕ，７８Ｖ，７８Ｗ）をステータケース７０の内周面に当接させる（芯金セット工程）。なお、可変コア保持部１０２をステータコア２０の内側環状部４１に挿通させる際の可変コア保持部１０２の外径は、内側環状部４１の内径に対応して充分に縮径されている。
【００５９】
ここで、芯金１００の構成について簡単に説明すると、芯金１００は環状に配列された１２個の可変コア保持部１０２と、この可変コア保持部１０２を支持すると共に環状に配列された１２個の可変コア保持部１０２をその径方向外側に拡径させる上側保持部１０４及び下側保持部１０６と、を主要な要素として構成されている。可変コア保持部１０２の外周面は芯金当接部２５Ｕ，２５Ｖ，２５Ｗの円弧面Ｒに対応する円弧面状に形成されており、また可変コア保持部１０２の内周部はカム部１０２Ａとされている。また、上側保持部１０４及び下側保持部１０６は円形板状に形成されており、また、上側保持部１０４及び下側保持部１０６の外周部にはそれぞれ傾斜面１０４Ａ，１０６Ａが形成されている。この上側保持部１０４の傾斜面１０４Ａと下側保持部１０６の傾斜面１０６Ａとの間に可変コア保持部１０２のカム部１０２Ａが狭持されている。さらに、上側保持部１０４及び下側保持部１０６の周方向の中心部には貫通孔が形成されており、また、この貫通孔には軸部１０８が挿通されている。これにより、上側保持部１０４及び下側保持部１０６が軸部１０８に沿ってスライドすることが可能となっている。上側保持部１０４及び下側保持部１０６が軸部１０８に沿ってスライドし、上側保持部１０４と下側保持部１０６との間隔が狭められることによって、環状に配列された１２個の可変コア保持部１０２が拡径する構成である。
【００６０】
また、軸部１０８にはスプリング１１０が挿通されており、さらにスプリング１１０は下側保持部１０４を上側保持部１０６側に向けて付勢している。これにより、可変コア保持部１０２が所定の押圧力Ｆ１でコア構成部１４Ｕ，１４Ｖ，１４Ｗを押圧している。また、塑性変形部７２を形成するためにステータケース７０の外周部に入力される押圧力が所定値を超えた際に、可変コア保持部１０２が縮径するように押圧力Ｆ１（スプリング１１０のイニシャル）が設定されている。なお、軸部１０８には、ステータコア２０及びステータケース７０に対する可変コア保持部１０２の位置決め等を行うための位置決め冶具１１２が取付けられている。
【００６１】
次いで、図７及び図８に示されるように、ステータケース７０、ステータコア２０及び芯金１００がかしめ冶具１１４にセットされる。
【００６２】
ここで、かしめ冶具１１４について簡単に説明すると、かしめ冶具１１４は、ステータケース７０、ステータコア２０及び芯金１００を支持する円筒状のベース部１１６と、ベース部１１６の上端部にその径方向に沿って移動可能に支持されかつベース部１１６の周方向に沿って等間隔に配置された１２個のパンチ１１８と、パンチ１１８をベース部１１６の径方向内側に移動させるプレス部１２０と、を主要な要素として構成されている。ベース部１１６の上端部には、その周方向に沿って等間隔に配置されかつ該ベース部１１６の径方向に沿って延びる１２個の凹溝（図示せず）が形成されている。この凹溝内にパンチ１１８が収容されることによってパンチ１１８がベース部１１６の径方向にスライドすることが可能となっている。また、パンチ１１８は、矩形ブロック状に形成されていると共に、その一端はステータケース７０の外周面に当接する当接部とされている。また、図１０Ｂに示されるように当接部には、ステータケース７０及びステータコア２０の軸方向から見て該ステータケース７０及びステータコア２０の径方向内側に向けて突出する一対の突起部１１８Ａが設けられている。また、この一対の突起部１１８Ａは、コア構成部１４Ｕ，１４Ｖ，１４Ｗに設けられた凸部７８Ｕ，７８Ｖ，７８Ｗと対向した状態において、凸部７８Ｕ，７８Ｖ，７８Ｗに形成された凹部８０Ｕ，８０Ｖ，８０Ｗを跨ぐように配置されている。図７及び図８に示されるように、パンチ１１８の他端は、プレス部１２０側に向けて該パンチ１１８の一端（当接部）側に傾斜する傾斜面１１８Ｂとされている。また、プレス部１２０は円筒状に形成されていると共に、該プレス部１２０の内周面におけるベース部１１６側の部位は、該ベース部側に向けて拡径するテーパ面１２０Ａとされている。このテーパ面１２０Ａがパンチ１１８の他端に形成された傾斜面１１８Ｂに当接し、プレス部１２０とベース部１１６との間隔が狭められることによって１２個のパンチがベース部１１６の径方向内側に向けてスライドする構成である。
【００６３】
図９、図１０Ａ及び図１０Ｂに示されるように、プレス部１２０にプレス機による加工力Ｆ２が入力されてパンチ１１８の突起部１１８Ａがステータケース７０の外周部を押圧することによって、ステータケース７０の外周部に１２個の塑性変形部７２が該ステータケース７０の周方向に沿って等間隔に形成される。これにより、ステータケース７０における塑性変形部７２が形成された部位が縮径され、該部位が各々のコア構成部１４Ｕ，１４Ｖ，１４Ｗを押圧する。その結果、ステータケース７０とステータコア２０（ステータ本体１１（図１Ｂ参照））とが一体化される（かしめ工程）。
【００６４】
ここで、本実施形態では、Ｕ相の継鉄構成部２２Ｕと対向する部位に塑性変形部７２を形成する際にステータケース７０に入力される加工力Ｆ３、Ｖ相の継鉄構成部２２Ｖと対向する部位に塑性変形部７２を形成する際にステータケース７０に入力される加工力Ｆ４、及びＷ相の継鉄構成部２２Ｗと対向する部位に塑性変形部７２を形成する際にステータケース７０に入力される加工力Ｆ５が、インシュレータ１８Ｕ，１８Ｖ，１８Ｗの連結部３４Ｕ，３４Ｖ，３４Ｗ（図１Ｂ参照）の剛性に応じて調整されている。具体的には、ステータケース７０における塑性変形部７２が形成された部位が各々のコア構成部１４Ｕ，１４Ｖ，１４Ｗを押圧した際に、各コア構成部１４Ｕ，１４Ｖ，１４Ｗが径方向内側に同じ距離移動するようにＦ３，Ｆ４及びＦ５が設定されている。より詳しく説明すると、各連結部３４Ｕ，３４Ｖ，３４Ｗが変形することによる反力を考慮して、加工力Ｆ３よりも加工力Ｆ４の方が大きく、また、加工力Ｆ４よりも加工力Ｆ５の方が大きく設定されている。なお、これらの加工力Ｆ３，Ｆ４，Ｆ５は計算又は試作を行うことにより決定すればよい。
【００６５】
以上説明した加工力Ｆ３，Ｆ４，Ｆ５とすることにより、ステータケース７０とステータコア２０とが一体化された際に、コア構成部１４Ｕ，１４Ｖ，１４Ｗ（ステータ構成部１２Ｕ，１２Ｖ，１２Ｗ）の配列が乱れることが抑制され、ひいてはステータコア２０（ステータ本体１１）の真円度が向上する。換言すると、上記の加工力Ｆ３，Ｆ４，Ｆ５が加えられることにより塑性変形部７２が形成されたステータケース７０は、ステータコア２０（ステータ本体１１）の真円度を調整する調整部材として機能している。
【００６６】
次いで、図１１に示されるように、ステータケース７０、ステータコア２０及び芯金１００がかしめ冶具１１４から取外される。そして、スプリング１１０の張力を開放することによって可変コア保持部１０２が縮径されて、ステータコア２０に挿通された芯金１００が該ステータコア２０から取外される。
【００６７】
以上の工程を経てステータケース７０とステータコア２０（ステータ本体１１）とが一体化され、前述したステータ１０が構成される。そして、ステータ１０の径方向内側にロータが配置されることによってブラシレスモータ６０が製造される（ロータ配置工程）。
【００６８】
（本実施形態の作用並びに効果）
次に、本実施形態の作用及び効果について説明する。
【００６９】
図１Ａに示されるように、本実施形態のブラシレスモータ６０は、上記構成のロータ５０、ステータコア２０及びステータケース７０を有して構成されている。巻線１６に通電されてステータコア２０及びステータケース７０に回転磁界が生じることによってマグネット５４Ｓ，５４Ｎを有するロータ５０が回転軸部５２を軸中心として回転する。
【００７０】
また、本実施形態では、ステータコア２０が、上記構成の継鉄４０、ティース部２４及び内側環状部４１を有して構成されており、またステータコア２０はステータケース７０と一体化されている。ここで、本実施形態では、内側環状部４１におけるロータ５０側の面（芯金当接部２５Ｕ，２５Ｖ，２５Ｗの内周面）が、該ロータ５０を軸中心とする円弧面Ｒとされている。そのため、この円弧面Ｒの内径に対応する芯金１００（図５参照）を内側環状部４１の径方向内側に配置した状態でステータケース７０の外周部に塑性変形部７２を形成することが可能となる。これにより、ステータケース７０における塑性変形部７２が形成された部位がステータコア２０の継鉄４０（凸部７８Ｕ，７８Ｖ，７８Ｗ）を押圧したとしても、ステータコア２０の内側環状部４１の真円度が保たれる。
【００７１】
さらに、本実施形態では、ステータコア２０の継鉄構成部２２Ｕ，２２Ｖ，２２Ｗに形成された凸部７８Ｕ，７８Ｖ，７８Ｗとステータケース７０の外周部に形成された塑性変形部７２とが対向している。そのため、塑性変形部７２がステータケース７０の外周部に形成された際に、ステータケース７０における塑性変形部７２が形成された部位及びステータコア２０の継鉄構成部２２Ｕ，２２Ｖ，２２Ｗにおける凸部７８Ｕ，７８Ｖ，７８Ｗが形成された部位に応力が集中する。これにより、ステータケース７０における塑性変形部７２が形成された部位とステータコア２０の継鉄構成部２２Ｕ，２２Ｖ，２２Ｗにおける凸部７８Ｕ，７８Ｖ，７８Ｗが形成された部位との密着度が高まり、ステータケース７０とステータコア２０との固着力が向上する。
【００７２】
また、本実施形態では、継鉄構成部２２Ｕ，２２Ｖ，２２Ｗに形成された凸部７８Ｕ，７８Ｖ，７８Ｗが継鉄４０の軸方向から見て該継鉄４０の周方向に沿って等間隔に配置されていると共に、ステータケース７０に形成された塑性変形部７２が継鉄４０の軸方向から見て該継鉄４０の周方向に沿って等間隔に配置されている。そのため、継鉄４０はステータケース７０にその周方向に沿って均等に押圧される。
【００７３】
以上をまとめると、本実施形態のブラシレスモータ６０では、ステータコア２０の真円度及びステータケース７０とステータコア２０との固着力が向上されている。
【００７４】
また、本実施形態では、継鉄構成部２２Ｕ，２２Ｖ，２２Ｗに形成された凸部７８Ｕ，７８Ｖ，７８Ｗがティース部２４と対向する部位に配置されている。そのため、可変コア保持部１０２（図５参照）はパンチ１１８からステータケース７０を介して入力される押圧力を垂直に支持することが可能となる。これにより、ステータケース７０における塑性変形部７２が形成された部位とステータコア２０の継鉄構成部２２Ｕ，２２Ｖ，２２Ｗにおける凸部７８Ｕ，７８Ｖ，７８Ｗが形成された部位との密着度が向上する。その結果、本実施形態では、ステータケース７０とステータコア２０との固着力をより一層向上させることができる。
【００７５】
さらに、本実施形態では、ステータケース７０の外周部に３の整数倍又は４の整数倍の個数（１２個（箇所））の塑性変形部７２が形成されている。そのため、ステータケース７０によるステータコア２０の支持力をステータケース７０の周方向沿って均等にすることができると共に、塑性変形部７２を形成するためのパンチ１１８をステータケース７０の外周部に当接させる際の加工制御を容易にすることができる。
【００７６】
また、本実施形態では、ステータコア２０が１２個のコア構成部１４Ｕ，１４Ｖ，１４Ｗによる分割構造とされていると共に、ステータケース７０の外周部に１２個（箇所）の塑性変形部７２が形成されている。これにより、ステータケース７０による各々のコア構成部１４Ｕ，１４Ｖ，１４Ｗの支持力を均等にすることができる。
【００７７】
また、本実施形態のステータ１０の製造方法では、ステータコア２０の外径を超える内径の円筒状に形成されたステータケース７０をステータコア２０の継鉄４０に沿って配置させるケース配置工程を経る。そのため、ステータケース７０の内周面とステータコア２０の外周面（凸部７８Ｕ，７８Ｖ，７８Ｗ）とが摺接することによるバリの発生を抑制することができる。これにより、モータロック及び回路ショート等の不具合を抑制することができる。
【００７８】
さらに、図６Ａ〜図１１に示されるように、本実施形態では、前述の芯金セット工程を経る。そして、ステータケース７０の外周部に複数の塑性変形部７２が形成されることによって、ステータケース７０とステータコア２０とが一体化されるかしめ工程を経る。ここで、本実施形態では、可変コア保持部１０２の外周面と芯金当接部２５Ｕ，２５Ｖ，２５Ｗの円弧面Ｒとが当接した状態で、即ち、可変コア保持部１０２によって内側環状部４１（芯金当接部２５Ｕ，２５Ｖ，２５Ｗ）の真円度が確保された状態でステータケース７０の外周面に塑性変形部７２が形成される。そのため、ステータケース７０の外周面に塑性変形部７２を形成するための外力が加わったとしても、内側環状部４１の真円度が保たれる。
【００７９】
また、本実施形態では、ステータケース７０の外周面に塑性変形部７２を形成するための外力がパンチ１１８から入力されると、この外力は芯金１００の可変コア保持部１０２によって支持される。すなわち、ステータケース７０の外周面に塑性変形部７２を形成するための外力が加わった際に、ステータコア２０の内側環状部４１が縮径しない。これにより、ステータケース７０における塑性変形部７２が形成された部位とステータコア２０の継鉄４０（凸部７８Ｕ，７８Ｖ，７８Ｗ）との密着度が高まり、ステータケース７０とステータコア２０との固着力が向上する。
【００８０】
以上をまとめると、本実施形態のステータの製造方法では、ステータコア２０の真円度及びステータケース７０とステータコア２０との固着力を向上させることができる。
【００８１】
また、本実施形態では、可変コア保持部１０２が拡径することによって該可変コア保持部１０２の外周面と芯金当接部２５Ｕ，２５Ｖ，２５Ｗの円弧面Ｒとが当接した後に、可変コア保持部１０２が更に拡径することによってステータコア２０の継鉄４０の外周面（凸部７８Ｕ，７８Ｖ，７８Ｗ）とステータケース７０の内周面とが当接する。そして、継鉄４０の外周面（凸部７８Ｕ，７８Ｖ，７８Ｗ）とステータケース７０の内周面とが当接した状態でステータケース７０の外周面に塑性変形部７２が形成される。これにより、ステータケース７０における塑性変形部７２が形成された部位とステータコア２０の継鉄４０（凸部７８Ｕ，７８Ｖ，７８Ｗ）との密着度がより一層高まる。その結果、本実施形態では、ステータケース７０とステータコア２０との固着力をより一層向上させることができる。
【００８２】
さらに、本実施形態では、ステータケース７０の外周面に塑性変形部７２を形成するための外力（押圧力）が所定値を超えると、可変コア保持部１０２が縮径するようにスプリング１１０のイニシャルが設定されている。これにより、本実施形態では、ステータケース７０とステータコア２０とを所望の固着力で一体化させることができる。
【００８３】
次に、本実施形態の特徴的な作用効果について説明する。
【００８４】
図１０Ａに示されるように、本実施形態では、ステータケース７０における塑性変形部７２が形成された部位が各々のコア構成部１４Ｕ，１４Ｖ，１４Ｗを押圧した際に各連結部３４Ｕ，３４Ｖ，３４Ｗ(図１Ｂ参照）が変形することによる反力を考慮して、加工力Ｆ３，Ｆ４，Ｆ５が設定されている。これにより、ステータケース７０とステータコア２０とが一体化された際に、コア構成部１４Ｕ，１４Ｖ，１４Ｗ（ステータ構成部１２Ｕ，１２Ｖ，１２Ｗ）の配列が乱れることが抑制され、ひいてはステータコア２０（ステータ本体１１）の真円度を向上させることができる。
【００８５】
なお、本実施形態では、継鉄構成部２２Ｕ，２２Ｖ，２２Ｗの凸部７８Ｕ，７８Ｖ，７８Ｗに凹部８０Ｕ，８０Ｖ，８０Ｗが形成されている例について説明してきたが、本発明はこれに限定されず、例えば、図１２Ａに示されるように、凹部８０Ｕ，８０Ｖ，８０Ｗを凸部７８Ｕ，７８Ｖ，７８Ｗに形成しない構成とすることもできる。このように、凹部８０Ｕ，８０Ｖ，８０Ｗを凸部７８Ｕ，７８Ｖ，７８Ｗに形成するか否かについては、該凸部７８Ｕ，７８Ｖ，７８Ｗとステータケース７０との接触圧等を考慮して適宜設定すればよい。
【００８６】
また、本実施形態では、一対の突起部１１８Ａを有するパンチを用いてステータケース７０の外周部に塑性変形部７２を形成した例について説明してきたが、本発明はこれに限定されるものではない。例えば、図１２Ｂに示されるように、先端側に向けて窄まるように形成されたパンチ１２２をステータケース７０における凹部８０Ｕ，８０Ｖ，８０Ｗと対向する部位に押圧することにより塑性変形部７２を形成した構成とすることもできる。この場合、ステータケース７０とステータコア２０との固着力がより一層向上する。
【００８７】
以上、本発明の一実施形態について説明したが、本発明は、上記に限定されるものでなく、その主旨を逸脱しない範囲内において上記以外にも種々変形して実施することが可能であることは勿論である。
【００８８】
（変形例）
次に、上記実施形態の変形例に係るステータついて説明する。なお、上記実施形態の構成と基本的に同様の構成については、先に説明した実施形態の構成と同一の符号を付して、その説明を省略する。
【００８９】
図４Ｂに示されるように、本変形例に係るステータは、インシュレータ１８Ｕ，１８Ｖ，１８Ｗの各々の連結部３４Ｕ，３４Ｖ，３４Ｗの剛性が同一とされていることに特徴がある。具体的には、複数の連結部３４Ｕ，３４Ｖ，３４Ｗのうち最も内径及び外径が大きく形成されているＵ相の連結部３４Ｕは、その径方向の板厚（肉厚）がＴ１とされており、また、Ｕ相の連結部３４Ｕにおける保持部３６Ｕ及び切欠き３８Ｕが形成されていない部位の軸方向の幅はＷ１とされている。
【００９０】
さらに、Ｕ相の連結部３４Ｕの径方向内側に配置された連結部３４Ｖの径方向の板厚はＴ１よりも薄い板厚Ｔ２とされており、またＶ相の連結部３４Ｖにおける保持部３６Ｖ及び切欠き３８Ｖが形成されていない部位の軸方向の幅はＷ１よりも狭い幅Ｗ２とされている。
【００９１】
また、Ｖ相の連結部３４Ｖの径方向内側に配置された連結部３４Ｗの径方向の板厚はＴ２よりも薄い板厚Ｔ３とされており、またＷ相の連結部３４Ｗにおける保持部３６Ｗが形成されていない部位の軸方向の幅はＷ２よりも狭い幅Ｗ３とされている。
【００９２】
以上説明したように、連結部３４Ｕ，３４Ｖ，３４Ｗの板厚Ｔ１，Ｔ２，Ｔ３及び幅Ｗ１，Ｗ２，Ｗ３が調整されることによって各々の連結部３４Ｕ，３４Ｖ，３４Ｗの剛性が同一とされている。
【００９３】
また、上記変形例では、連結部３４Ｕ，３４Ｖ，３４Ｗの板厚Ｔ１，Ｔ２，Ｔ３及び幅Ｗ１，Ｗ２，Ｗ３が調整されることによって各々の連結部３４Ｕ，３４Ｖ，３４Ｗの剛性が同一とされている例について説明してきたが、他の方法によって各々の連結部３４Ｕ，３４Ｖ，３４Ｗの剛性を同一とすることもできる。例えば、図４Ｃに示された第２変形例の如く、連結部３４Ｕ，３４Ｖ，３４Ｗの材料をそれぞれ変更することによって各々の連結部３４Ｕ，３４Ｖ，３４Ｗの剛性が同一となるように調整することもできる。第２変形例では、一例としてＵ相の連結部３４Ｕの材料をアルミニウム合金とし、またＶ相の連結部３４Ｖの材料をポリアセタールとし、さらにまたＷ相の連結部３４Ｖの材料をポリアミド合成繊維とすることによって各々の連結部３４Ｕ，３４Ｖ，３４Ｗの剛性が調整されている。換言すると、径方向内側に配置された連結部ほどヤング率の低い材料が用いられることによって各々の連結部３４Ｕ，３４Ｖ，３４Ｗの剛性が調整されている。
【００９４】
また、図４Ｄに示された第３変形例の如く、Ｕ相の連結部３４Ｕの軸方向他方側（矢印Ｚ２側）の端部に該連結部３４Ｕの径方向外側に延出するリブ１２４を設けると共に、Ｗ相の連結部３４Ｗの外周部に複数の切欠き１２６を設けることによって、即ち、各々の連結部３４Ｕ，３４Ｖ，３４Ｗの断面形状を調整することによって各々の連結部３４Ｕ，３４Ｖ，３４Ｗの剛性を調整することもできる。
【００９５】
さらに、図４Ｅに示された第４変形例の如く、各々の連結部３４Ｕ，３４Ｖ，３４Ｗの内外径の同一とすると共に、各々の連結部３４Ｕ，３４Ｖ，３４Ｗをその軸方向に隣り合って配置し、これに加えて各々の連結部３４Ｕ，３４Ｖ，３４Ｗの断面形状を同一とすることによって各々の連結部３４Ｕ，３４Ｖ，３４Ｗの剛性が同一となるように調整することもできる。また、当該連結部３４Ｕ，３４Ｖ，３４Ｗの配置とした場合、ステータ１０の径方向の小型化が図られる。
【００９６】
（変形例の作用並びに効果）
以上の変形例に係るステータでは、インシュレータ１８Ｕ，１８Ｖ，１８Ｗの各々の連結部３４Ｕ，３４Ｖ，３４Ｗの剛性が同一とされているため、図１０Ａに示されるように、ステータケース７０の外周部に塑性変形部７２を形成するための加工力Ｆ３，Ｆ４，Ｆ５を同一の加工力とすることができる。これにより、本変形例では、ステータコア２０（ステータ本体１１）とステータケース７０とを一体化させる際の加工制御を容易にすることができる。
【００９７】
なお、上記変形例では、複数のインシュレータ１８Ｕ，１８Ｖ，１８Ｗの各々の連結部３４Ｕ，３４Ｖ，３４Ｗの剛性を同一とするために、図４Ｂ〜図４Ｅに示された構成を挙げたが、本発明はこれに限定されるものではない。各々の連結部３４Ｕ，３４Ｖ，３４Ｗの剛性を同一とするために他の手法を用いてもよいし、また図４Ｂ〜図４Ｅに示された構成を適宜組み合せることによって各々の連結部３４Ｕ，３４Ｖ，３４Ｗの剛性を同一としてもよい。
【００９８】
また、上記実施形態及び変形例では、Ｕ相のステータ構成部１２Ｕが連結部３４Ｕに支持され、Ｖ相のステータ構成部１２Ｖが連結部３４Ｖに支持され、Ｗ相のステータ構成部１２Ｗが連結部３４Ｗに支持されている例について説明してきたが、本発明はこれに限定されるものではない。例えば、一の連結部がＵ相のステータ構成部１２Ｕ、Ｖ相のステータ構成部１２Ｖ、及びＷ相のステータ構成部１２Ｗを支持するように構成することもできる。すなわち、連結部が相毎に設けられていなくてもよい。
【００９９】
（ステータ１０の他の製造方法）
次に、図１３〜図１６を用いて前述のステータ１０の他の製造方法について説明する。
【０１００】
図１３及び図１４に示された製造方法は、前述のかしめ工程において、ステータケース７０におけるパンチ１１８に押圧される部位の剛性を考慮して、各々のパンチ１１８からステータケース７０の外周部に加えられる加工力が調整されていることに特徴がある。
【０１０１】
図１３に示されるように、ステータケース７０をその軸方向から見た形状が楕円状にひずんでいる場合にあっては、ステータケース７０の外周部が長径方向から径方向内側に向けて押圧された際の当該押圧された部位Ｐ１の変位が、ステータケース７０の外周部が短径方向から径方向内側に向けて押圧された際の当該押圧された部位Ｐ２の変位よりも小さい。換言すると、ステータケース７０の長径方向の部位Ｐ１の剛性が当該ステータケース７０の短径方向の部位Ｐ２の剛性よりも高くなっている。そのため、ステータケース７０の長径方向の部位Ｐ１を押圧する加工力Ｆ６を短径方向の部位Ｐ２を押圧する加工力Ｆ９よりも大きく設定している。また、ステータケース７０の長径方向の部位Ｐ１と短径方向の部位Ｐ２との中間部は、加工力Ｆ６よりも小さくかつ加工力Ｆ９よりも大きな加工力Ｆ７，Ｆ８で押圧するように調整されている。なお、上記の加工力Ｆ６，Ｆ７，Ｆ８，Ｆ９は、ステータケース７０の形状のデータに基づいて決定されている。
【０１０２】
図１４に示されるように、ステータケース７０の肉厚がその周方向に沿って一定の肉厚とされていない場合にあっては、ステータケース７０における厚肉とされた部位が径方向内側に向けて押圧された際の当該押圧された部位の変位が、ステータケース７０における薄肉とされた部位が径方向内側に向けて押圧された際の当該押圧された部位の変位よりも小さい。換言すると、ステータケース７０における厚肉とされた部位の剛性が当該ステータケース７０における薄肉とされた部位の剛性よりも高くなっている。そのため、ステータケース７０における厚肉とされた部位を押圧する加工力Ｆ６を薄肉とされた部位を押圧する加工力Ｆ７，Ｆ８，Ｆ９よりも大きく設定している。なお、上記の加工力Ｆ６，Ｆ７，Ｆ８，Ｆ９は、ステータケース７０の各部の厚みのデータに基づいて決定されている。
【０１０３】
図１５に示された製造方法では、コア構成部１４Ｕ，１４Ｖ，１４Ｗの芯金当接部２５Ｕ，２５Ｖ，２５Ｗとの接触圧力を検出するセンサ１３０を備えた芯金１２８を用いてステータ１０が製造される。先ず、芯金１２８の構成について説明すると、当該芯金１２８は、円柱状に形成されたベース部１３２と、ベース部１３２の外周部に固定された１２個のセンサ１３０と、を有して構成されている。また、１２個のセンサ１３０は、ベース部１３２の周方向に沿って等間隔に配置されている。なお、センサ１３０はベース部１３２の径方向内側に向けて押圧されることによって信号を出力する圧力センサとされている。前述のケース配置工程を経た後に、上記の芯金１２８がステータ本体１１の径方向内側に、すなわち、芯金当接部２５Ｕ，２５Ｖ，２５Ｗによって囲まれた領域に挿通される（芯金セット工程）。そして、パンチ１１８の突起部１１８Ａがステータケース７０の外周部を押圧することによって、ステータケース７０の外周部に１２個の塑性変形部７２が該ステータケース７０の周方向に沿って等間隔に形成される（かしめ工程）。これにより、ステータケース７０における塑性変形部７２が形成された部位が縮径され、該部位が各々のコア構成部１４Ｕ，１４Ｖ，１４Ｗを押圧すると共に各々のコア構成部１４Ｕ，１４Ｖ，１４Ｗの芯金当接部２５Ｕ，２５Ｖ，２５Ｗがそれぞれ各センサ１３０を押圧する。また、本実施形態では、各センサ１３０の出力値に基づいてパンチ１１８からステータケース７０の外周部に加えられる加工力Ｆ６，Ｆ７，Ｆ８，Ｆ９が調整されている。なお、一例として本実施形態では、各々のセンサ１３０の出力値が同一となるように加工力Ｆ６，Ｆ７，Ｆ８，Ｆ９が調整されている。
【０１０４】
図１６に示された製造方法は、前述のかしめ工程において、コア構成部１４Ｕ，１４Ｖ，１４Ｗの配列を考慮して、各々のパンチ１１８からステータケース７０の外周部に加えられる加工力が調整されていることに特徴がある。具体的には、ステータケース７０において基準円Ｓよりも径方向外側にオフセットしているコア構成部１４Ｕ，１４Ｖ，１４Ｗと対向している部位に入力される加工力Ｆ５を、ステータケース７０において基準円Ｓよりも径方向内側にオフセットしているコア構成部１４Ｕ，１４Ｖ，１４Ｗと対向している部位に入力される加工力Ｆ３よりも大きく設定している。なお、ステータケース７０において基準円Ｓとのオフセット量がないコア構成部１４Ｕ，１４Ｖ，１４Ｗと対向している部位に入力される加工力Ｆ４は、加工力Ｆ５よりも小さくかつ加工力Ｆ３よりも大きな加工力とされている。
【０１０５】
以上説明した製造方法によれば、ステータケース７０の各部の剛性、センサ１３０からの出力値及びコア構成部１４Ｕ，１４Ｖ，１４Ｗの配列を考慮してパンチ１１８からステータケース７０に加えられる加工力調整することにより、ステータコア２０の真円度を向上させることができる。
【符号の説明】
【０１０６】
１１…ステータ本体，１４Ｕ…コア構成部，１４Ｖ…コア構成部，１４Ｗ…コア構成部，１６Ｕ…巻線，１６Ｖ…巻線，１６Ｗ…巻線，１８Ｕ…インシュレータ，１８Ｖ…インシュレータ，１８Ｗ…インシュレータ，２２Ｕ…継鉄構成部，２２Ｖ…継鉄構成部，２２Ｗ…継鉄構成部，２４Ｕ…ティース部，２４Ｖ…ティース部，２４Ｗ…ティース部，２６Ｕ…巻回部，２６Ｖ…巻回部，２６Ｗ…巻回部，３２Ｕ…絶縁部，３２Ｖ…絶縁部，３２Ｗ…絶縁部，３４Ｕ…連結部，３４Ｖ…連結部，３４Ｗ…連結部，４０…継鉄，１２８…芯金，１３０…センサ，Ｆ３，Ｆ４，Ｆ５，Ｆ６，Ｆ７，Ｆ８，Ｆ９…加工力
【図１Ａ】
2014161200.tif 000003
【図１Ｂ】
2014161200.tif 000004
【図２Ａ】
2014161200.tif 000005
【図２Ｂ】
2014161200.tif 000006
【図２Ｃ】
2014161200.tif 000007
【図２Ｄ】
2014161200.tif 000008
【図３Ａ】
2014161200.tif 000009
【図３Ｂ】
2014161200.tif 000010
【図４Ａ】
2014161200.tif 000011
【図４Ｂ】
2014161200.tif 000012
【図４Ｃ】
2014161200.tif 000013
【図４Ｄ】
2014161200.tif 000014
【図４Ｅ】
2014161200.tif 000015
【図５】
2014161200.tif 000016
【図６Ａ】
2014161200.tif 000017
【図６Ｂ】
2014161200.tif 000018
【図７】
2014161200.tif 000019
【図８】
2014161200.tif 000020
【図９】
2014161200.tif 000021
【図１０Ａ】
2014161200.tif 000022
【図１０Ｂ】
2014161200.tif 000023
【図１１】
2014161200.tif 000024
【図１２Ａ】
2014161200.tif 000025
【図１２Ｂ】
2014161200.tif 000026
【図１３】
2014161200.tif 000027
【図１４】
2014161200.tif 000028
【図１５】
2014161200.tif 000029
【図１６】
2014161200.tif 000030